【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
超音波信号の印加により発生する超音波振動による超音波処置と、高周波信号の印加による高周波処置とが可能な超音波／高周波処置具に夫々接続され、前記超音波信号を供給する超音波手術装置及び前記高周波信号を印加する高周波焼灼装置と、前記超音波手術装置及び前記高周波焼灼装置への出力のＯＮ／ＯＦＦの指示操作を行う単一のスイッチユニットとの間を中継する中継ユニットであって、
前記スイッチユニットのＯＮ／ＯＦＦを検知するスイッチ検知部と、
前記スイッチ検知部の検知出力に対応して、前記超音波手術装置及び前記高周波焼灼装置に対して、前記超音波信号及び前記高周波信号の出力をＯＮ／ＯＦＦさせるスイッチ信号を出力するスイッチ素子と、
前記検知出力に基づき、前記スイッチ素子のスイッチ信号のＯＮ／ＯＦＦを制御して、前記超音波信号及び前記高周波信号の出力タイミング及び出力モードの少なくとも一方を制御する制御部と、
を具備することを特徴とする超音波手術装置及び高周波焼灼装置の中継ユニット。
【請求項２】
前記スイッチ素子は、入力信号を電気的に絶縁して前記超音波手術装置及び前記高周波焼灼装置にスイッチ信号を出力することを特徴とする請求項１に記載の超音波手術装置及び高周波焼灼装置の中継ユニット。
【請求項３】
前記スイッチ検知部は、前記スイッチユニットを構成する２つのスイッチのＯＮ／ＯＦＦを検知することを特徴とする請求項１に記載の超音波手術装置及び高周波焼灼装置の中継ユニット。
【請求項４】
前記スイッチ検知部は、前記スイッチユニットを構成する単一のスイッチのＯＮ／ＯＦＦを検知することを特徴とする請求項１に記載の超音波手術装置及び高周波焼灼装置の中継ユニット。
【請求項５】
前記スイッチ素子は、前記超音波手術装置に前記スイッチ信号を出力する第１のスイッチ素子と、前記高周波焼灼装置に前記スイッチ信号を出力する第２のスイッチ素子とを有することを特徴とする請求項４に記載の超音波手術装置及び高周波焼灼装置の中継ユニット。
【請求項６】
前記第１のスイッチ素子は、前記スイッチ信号を、前記超音波手術装置における超音波信号のＯＮ／ＯＦＦを行うスイッチが接続されるスイッチコネクタに出力することを特徴とする請求項５に記載の超音波手術装置及び高周波焼灼装置の中継ユニット。
【請求項７】
前記第２のスイッチ素子は、前記スイッチ信号を、前記高周波焼灼装置における高周波信号のＯＮ／ＯＦＦを行うスイッチが接続されるスイッチコネクタに出力することを特徴とする請求項５に記載の超音波手術装置及び高周波焼灼装置の中継ユニット。
【請求項８】
さらに、前記超音波手術装置及び前記高周波焼灼装置の各出力モードのＯＮ／ＯＦＦ及び出力タイミングの少なくとも一方の選択設定を行う設定部を有することを特徴とする請求項１に記載の超音波手術装置及び高周波焼灼装置の中継ユニット。
【請求項９】
前記超音波手術装置及び前記高周波焼灼装置の少なくとも一方と通信を行う通信部を有することを特徴とする請求項１に記載の超音波手術装置及び高周波焼灼装置の中継ユニット。
【請求項１０】
前記制御部は、さらに前記超音波手術装置及び前記高周波焼灼装置の少なくとも一方から入力されるエラー検知情報に基づき、前記スイッチ信号の出力を停止させる制御を行うことを特徴とする請求項１に記載の超音波手術装置及び高周波焼灼装置の中継ユニット。
【請求項１１】
前記制御部は、前記通信部を介して前記超音波／高周波処置具の種別情報に対応して、前記超音波信号及び前記高周波信号の出力モードの制御を行うことを特徴とする請求項９に記載の超音波手術装置及び高周波焼灼装置の中継ユニット。
【請求項１２】
前記制御部は、前記超音波手術装置に対して、前記超音波／高周波処置具を共振周波数で超音波振動させるように共振周波数を探索させる共振探索の制御を行うことを特徴とする請求項１に記載の超音波手術装置及び高周波焼灼装置の中継ユニット。
【請求項１３】
前記制御部は、前記共振探索の動作完了時に、前記超音波手術装置及び前記高周波焼灼装置から前記超音波信号と前記高周波信号を同時に出力させる出力タイミングの制御を行うことを特徴とする請求項１２に記載の超音波手術装置及び高周波焼灼装置の中継ユニット。
【請求項１４】
前記設定部は、さらに前記超音波手術装置及び前記高周波焼灼装置から出力される信号の時間的順序を設定する順序設定を行うことを特徴とする請求項８に記載の超音波手術装置及び高周波焼灼装置の中継ユニット。
【請求項１５】
前記制御部は、前記２つのスイッチにおける一方のスイッチのＯＮ／ＯＦＦ操作に対応して前記超音波手術装置の出力タイミングを制御し、かつ他方のスイッチのＯＮ／ＯＦＦ操作に対応して前記高周波焼灼装置の出力タイミングを制御することを特徴とする請求項３に記載の超音波手術装置及び高周波焼灼装置の中継ユニット。
【請求項１６】
超音波信号の印加により発生する超音波振動による超音波処置と、高周波信号の印加による高周波処置とが可能な超音波／高周波処置具に対して、前記超音波信号を供給する超音波手術装置と、
前記超音波／高周波処置具に対して、高周波信号を供給する高周波焼灼装置と、
前記超音波手術装置及び前記高周波焼灼装置の動作のＯＮ／ＯＦＦ指示操作を行うスイッチユニットと、
前記スイッチユニットのＯＮ／ＯＦＦを検知するスイッチ検知部、前記スイッチ検知部の検知出力に対応して、前記超音波手術装置及び前記高周波焼灼装置に対して、前記超音波信号及び前記高周波信号の出力のＯＮ／ＯＦＦさせるスイッチ信号を出力するスイッチ素子、及び前記検知出力に基づき、前記スイッチ素子のスイッチ信号のＯＮ／ＯＦＦを制御して、前記超音波信号及び前記高周波信号の出力タイミング及び出力モードの少なくとも一方を制御する制御部を備えた超音波手術装置及び高周波焼灼装置の中継ユニットと、
を具備することを特徴とする手術システム。
【請求項１７】
前記超音波手術装置及び高周波焼灼装置における少なくとも一方は、前記超音波／高周波処置具の種別を検知する種別検知部を有する具備することを特徴とする請求項１６に記載の手術システム。
【請求項１８】
前記制御部は、前記種別検知部による種別検知の情報に基づいて、前記超音波信号及び前記高周波信号の出力タイミング及び出力モードの少なくとも一方を制御することを特徴とする請求項１７に記載の手術システム。
【請求項１９】
前記超音波手術装置は、前記超音波／高周波処置具に対して、振幅の小さい超音波信号の周波数をスイープし、共振周波数を探索する共振周波数探索部を有することを特徴とする請求項１６に記載の手術システム。
【請求項２０】
前記制御部は、前記共振周波数探索部による共振周波数探索の動作完了後に、前記超音波信号及び前記高周波信号を同時に出力させるタイミング制御を行うことを特徴とする請求項１９に記載の手術システム。
【請求項２１】
前記超音波手術装置及び前記高周波焼灼装置の少なくとも一方は、エラー発生を検知するエラー発生検知部を有することを特徴とする請求項１６に記載の手術システム。
【請求項２２】
前記制御部は、前記エラー発生検知部によるエラー検知の情報に基づき、前記超音波信号及び前記高周波信号の出力を停止する制御を行うことを特徴とする請求項２１に記載の手術システム。
【請求項２３】
前記超音波手術装置及び高周波焼灼装置の中継ユニットは、前記超音波手術装置に備えていることを特徴とする請求項１６に記載の手術システム。
【請求項２４】
前記超音波手術装置及び高周波焼灼装置の中継ユニットは、前記高周波焼灼装置に備えていることを特徴とする請求項１６に記載の手術システム。
【手続補正２】
【補正対象書類名】明細書
【補正対象項目名】発明の名称
【補正方法】変更
【補正の内容】
【発明の名称】超音波手術装置及び高周波焼灼装置の中継ユニットおよび手術システム
【手続補正３】
【補正対象書類名】明細書
【補正対象項目名】０００１
【補正方法】変更
【補正の内容】
【０００１】
本発明は超音波手術装置及び高周波焼灼装置に接続される超音波手術装置及び高周波焼灼装置の中継ユニットおよび手術システムに関する。
【手続補正４】
【補正対象書類名】明細書
【補正対象項目名】０００５
【補正方法】変更
【補正の内容】
【０００５】
本発明は上述した点に鑑みてなされたもので、１つのスイッチユニットによって、超音波手術装置と高周波焼灼装置の両装置の出力モード及び出力タイミングの少なくとも一方を制御可能とする超音波手術装置及び高周波焼灼装置の中継ユニットおよび手術システムを提供することを目的とする。
【手続補正５】
【補正対象書類名】明細書
【補正対象項目名】０００６
【補正方法】変更
【補正の内容】
【０００６】
本発明の超音波手術装置及び高周波焼灼装置の中継ユニットは、超音波信号の印加により発生する超音波振動による超音波処置と、高周波信号の印加による高周波処置とが可能な超音波／高周波処置具に夫々接続され、前記超音波信号を供給する超音波手術装置及び前記高周波信号を印加する高周波焼灼装置と、前記超音波手術装置及び前記高周波焼灼装置への出力のＯＮ／ＯＦＦの指示操作を行う単一のスイッチユニットとの間を中継する中継ユニットであって、
前記スイッチユニットのＯＮ／ＯＦＦを検知するスイッチ検知部と、
前記スイッチ検知部の検知出力に対応して、前記超音波手術装置及び前記高周波焼灼装置に対して、前記超音波信号及び前記高周波信号の出力をＯＮ／ＯＦＦさせるスイッチ信号を出力するスイッチ素子と、
前記検知出力に基づき、前記スイッチ素子のスイッチ信号のＯＮ／ＯＦＦを制御して、前記超音波信号及び前記高周波信号の出力タイミング及び出力モードの少なくとも一方を制御する制御部と、
を具備することを特徴とする。
【手続補正６】
【補正対象書類名】明細書
【補正対象項目名】０００７
【補正方法】変更
【補正の内容】
【０００７】
本発明の手術システムは、超音波信号の印加により発生する超音波振動による超音波処置と、高周波信号の印加による高周波処置とが可能な超音波／高周波処置具に対して、前記超音波信号を供給する超音波手術装置と、
前記超音波／高周波処置具に対して、高周波信号を供給する高周波焼灼装置と、
前記超音波手術装置及び前記高周波焼灼装置の動作のＯＮ／ＯＦＦ指示操作を行うスイッチユニットと、
前記スイッチユニットのＯＮ／ＯＦＦを検知するスイッチ検知部、前記スイッチ検知部の検知出力に対応して、前記超音波手術装置及び前記高周波焼灼装置に対して、前記超音波信号及び前記高周波信号の出力のＯＮ／ＯＦＦさせるスイッチ信号を出力するスイッチ素子、及び前記検知出力に基づき、前記スイッチ素子のスイッチ信号のＯＮ／ＯＦＦを制御して、前記超音波信号及び前記高周波信号の出力タイミング及び出力モードの少なくとも一方を制御する制御部を備えた超音波手術装置及び高周波焼灼装置の中継ユニットと、
を具備することを特徴とする。
【手続補正７】
【補正対象書類名】明細書
【補正対象項目名】００５２
【補正方法】変更
【補正の内容】
【００５２】
その後、中継ユニット６Ｂのスイッチ検知部２２は図９のフローチャートの場合と同様にステップＳ１においてフットスイッチ５が押圧されるのを待つ。そして、フットスイッチ５が押圧されると、ステップＳ２に示すようにスイッチ検知部２２は、フットスイッチ５のＯＮを検知し、制御部２３にスイッチＯＮ信号を送信する。
本実施例では、さらにステップＳ１２に示すようにパラメータスイッチ検知部５２は、パラメータスイッチ５１により設定された出力制御モードを表すパラメータを検知する。そして、パラメータスイッチ検知部５２は、パラメータスイッチ信号を制御部２３に送信する。
ステップＳ１３に示すように制御部２３は、パラメータスイッチ信号に従い、超音波出力制御部２４及び高周波出力制御部２５に、夫々超音波制御信号及び高周波制御信号を送信する。
【手続補正８】
【補正対象書類名】明細書
【補正対象項目名】００６９
【補正方法】変更
【補正の内容】
【００６９】
従来例の超音波手術装置は、設定された超音波出力にするために共振点探索を行うと、超音波手術装置と高周波焼灼装置とで同時に出力を開始しようとしても、高周波焼灼装置が先に出力してしまい、超音波手術装置の出力が遅れてしまう。
そのため、高周波焼灼装置の単独出力の状態で両方から出力されていると誤認し易く、術者に手術の際に負担がかかる欠点があった。
これに対して、本実施例は上記のようにこの欠点を解消できる。
本実施例の基本的な構成として、実施例１に類似した構成により説明したが、実施例２で説明したようにパラメータスイッチ５１、パラメータスイッチ検知部５２を設けた構成にしてもよい。
本実施例は以下の効果を有する。
本発明の中継ユニットに接続された１つのフットスイッチを操作するだけで、超音波手術装置、高周波焼灼装置及び両装置の出力を制御することができるため、処置中のユーザのスイッチ操作が容易となる。また操作するスイッチが減るため、手術室内が煩雑でなくなる。
中継ユニットが超音波手術装置の共振点探索完了を検知することによって、出力開始に時間がかかる超音波手術装置の出力タイミングに合わせて、高周波焼灼装置をほぼ同じタイミングで出力開始させることが可能となり、高周波出力が先行してしまう場合よりもより適切な処置を行うことができる。
【手続補正９】
【補正対象書類名】明細書
【補正対象項目名】００７５
【補正方法】変更
【補正の内容】
【００７５】
次に本実施例の動作を図２１のフローチャートを参照して説明する。
この超音波手術・高周波焼灼装置１Ｄの電源スイッチがＯＮにされ、動作状態になると、ステップＳ４１に示すようにスイッチ検知部２２はフットスイッチ５が押圧されるのを待つ状態となる。
そして、フットスイッチ５が押圧されるとステップＳ４２に示すようにスイッチ検知部２２はフットスイッチ５のＯＮを検知し、制御部２３ヘスイッチＯＮ信号を送信する。
【手続補正１０】
【補正対象書類名】明細書
【補正対象項目名】００８９
【補正方法】変更
【補正の内容】
【００８９】
そして、次のステップＳ６５においてスイッチ検知部２２はフットスイッチ５が押圧されるのを待つ状態となる。
そして、フットスイッチ５が押圧されるとステップＳ６６に示すようにスイッチ検知部２２はフットスイッチ５のＯＮを検知し、制御部２３ヘスイッチＯＮ信号を送信する。
次のステップＳ６７において制御部２３は、スイッチＯＮ信号を受信すると、設定されていた出力制御モードに従い、超音波出力制御部２４と高周波出力制御部２５へ超音波制御信号と高周波制御信号をそれぞれ送信する。
次のステップＳ６８において超音波出力制御部２４は、受信した超音波制御信号に従いスイッチ素子２４ａをＯＮ／ＯＦＦする。また、高周波出力制御部２５は受信した高周波制御信号に従い、スイッチ素子２５ａをＯＮ／ＯＦＦする。